(57)【要約】      （修正有）【課題】立体映像表示装置のバリアパネルにおいて、周辺領域の面積の小型を実現する。【解決手段】本発明はバリアパネルを含む立体映像表示装置に関する。前記バリアパネルは、アクティブ領域に透過領域及び遮光領域を形成するためのチャネル電極及び前記チャネル電極に信号を伝達するためのリンク配線を含むことができる。前記立体映像表示装置は、表示パネルを駆動するディスプレイ駆動部；前記表示パネル上に位置し、アクティブ領域を横切るチャネル電極及び前記アクティブ領域の外側に位置するリンク配線を含むバリアパネル；及び前記リンク配線を介して前記チャネル電極を制御するバリア駆動部を含み、各チャネル電極が横切る前記リンク配線の数は同一である。これにより、本発明の実施例による立体映像表示装置は前記チャネル電極にかかる負荷（ｌｏａｄ）偏差による暗線を防止することができる。【選択図】図３ａ
2019070792.tif 000002
【特許請求の範囲】
【請求項１】
表示パネルを駆動するディスプレイ駆動部；
前記表示パネル上に位置し、アクティブ領域を横切るチャネル電極及び前記アクティブ領域の外側に位置するリンク配線を含むバリアパネル；及び
前記リンク配線を介して前記チャネル電極を制御するバリア駆動部を含み、
各チャネル電極が横切る前記リンク配線の数は同一である、立体映像表示装置。
【請求項２】
前記リンク配線は前記チャネル電極と個別に連結される、請求項１に記載の立体映像表示装置。
【請求項３】
前記リンク配線は前記チャネル電極の一方の端部と連結される第１リンク配線及び前記チャネル電極の他方の端部と連結される第２リンク配線を含み、
前記チャネル電極が横切る前記第１リンク配線の数は該当チャネル電極と交差する前記第２リンク配線の数に反比例する、請求項１に記載の立体映像表示装置。
【請求項４】
前記第２リンク配線は前記アクティブ領域の側面に沿って前記チャネル電極に平行に並んで位置する領域を含む、請求項３に記載の立体映像表示装置。
【請求項５】
前記バリアパネルは前記チャネル電極の間に位置するトリガー電極をさらに含み、
各トリガー電極が横切る前記リンク配線の数は各チャネル電極と交差する前記リンク配線の数と違う、請求項１に記載の立体映像表示装置。
【請求項６】
各トリガー電極と交差する前記リンク配線の数は各チャネル電極が横切る前記リンク配線の数より多い、請求項５に記載の立体映像表示装置。
【請求項７】
隣接した二つのチャネル電極の間に並んで位置する第１トリガー電極及び第２トリガー電極を含み、
前記第２トリガー電極と交差する前記リンク配線の数は前記第１トリガー電極と交差する前記リンク配線の数と違う、請求項５に記載の立体映像表示装置。
【請求項８】
視聴者の位置を感知する視聴距離感知部をさらに含み、
前記バリア駆動部は、前記視聴距離感知部の信号によって、前記リンク配線を介して前記チャネル電極に印加される信号を調節する、請求項１に記載の立体映像表示装置。
【請求項９】
前記表示パネルは、順に積層された下部表示基板、下部発光電極、発光層、上部発光電極及び上部表示基板を含む、請求項１に記載の立体映像表示装置。
【請求項１０】
前記第２リンク配線のみがアクティブ領域に沿って延在している、請求項３に記載の立体映像表示装置。
【請求項１１】
前面線形偏光板、後面線形偏光板及び１／４波長板をさらに含み、
前記１／４波長板は前記表示パネル及び前記前面線形偏光板と直接接触し、
前記表示パネルの外側表面上には前記後面線形偏光板がさらに位置する、請求項１に記載の立体映像表示装置。
【請求項１２】
前面線形偏光板、後面線形偏光板及びイメージ線形偏光板をさらに含み、
前記前面線形偏光板及び前記後面線形偏光板は前記バリアパネルと直接接触し、
前記表示パネルの外側表面上には前記イメージ線形偏光板がさらに位置する、請求項１に記載の立体映像表示装置。
【請求項１３】
前面線形偏光板、後面線形偏光板及びイメージ線形偏光板をさらに含み、
前記前面線形偏光板及び前記イメージ線形偏光板は 前記表示パネルと直接接触し、
前記バリアパネルの外側表面上には前記後面線形偏光板がさらに位置する、請求項１に記載の立体映像表示装置。
【発明の詳細な説明】
【技術分野】
【０００１】
本発明はバリアパネルを用いて立体映像を具現する立体映像表示装置に関する。
【背景技術】
【０００２】
一般に、ディスプレイ装置は映像を具現する表示パネルを含む。例えば、前記ディスプレイ装置は液晶を含む液晶パネル及び／又は有機発光素子を含むＯＬＥＤパネルを含むことができる。
【０００３】
前記ディスプレイ装置は視聴者の両眼の位置差を用いて立体映像を具現することができる。例えば、立体映像表示装置は両眼視差（Ｂｉｎｏｃｕｌａｒ  Ｄｉｓｐａｒｉｔｙ）を用いて前記表示パネルによって具現された映像を視聴者の左眼と右眼に違って提供することができる。
【０００４】
前記立体映像表示装置はシャッターを用いためがね方式及びバリアパネルを用いた無めがね方式を含むことができる。前記バリアパネルは前記表示パネルから放出される光の経路差を用いて、視聴者の左眼と右眼に提供される映像を分離することができる。例えば、前記バリアパネルは一定間隔で配置されたチャネル電極に印加される電圧を調節して透過領域と遮光領域を形成することができる。前記遮光領域は前記透過領域の間に位置することができる。
【０００５】
前記バリアパネルは前記チャネル電極に信号を伝達するためのリンク配線を含むことができる。前記チャネル電極は、電圧降下による輝度偏差を防止するために、該当リンク配線と閉ループ（ｃｌｏｓｅｄ  ｌｏｏｐ）を形成することができる。
【０００６】
前記バリアパネルは視聴者の位置によって立体映像の適正視聴範囲をシフトすることができる。例えば、前記バリアパネルは視聴者の位置によって各チャネル電極に印加される電圧を個別に調節して透過領域と遮光領域をシフトすることができる。
【０００７】
しかし、視聴者の位置によって立体映像の適正視聴範囲が自然に移動することができるように前記バリアパネル内に位置する前記チャネル電極の数を増加させれば、前記チャネル電極に信号を伝達するためのリンク配線の数が増加するので、アクティブ領域の外側に位置する周辺領域の面積が増加してバリアパネルの大きさが増加する問題点がある。また、前記チャネル電極及び前記リンク配線の数が増加すれば、前記チャネル電極と前記リンク配線の連結が複雑になり、前記リンク配線によって各チャネル電極に加わる負荷（ｌｏａｄ）に偏差が発生することがある。よって、前記立体映像表示装置は各チャネル電極に加わる負荷（ｌｏａｄ）の偏差による暗線（ｄｉｍ  ｌｉｎｅ）が発生する問題点がある。
【発明の概要】
【発明が解決しようとする課題】
【０００８】
本発明が解決しようとする課題は、チャネル電極によって透過領域及び遮光領域が形成されるアクティブ領域の外側に位置する周辺領域の面積を最小化することができる立体映像表示装置を提供することである。
【０００９】
本発明が解決しようとする他の課題は、チャネル電極に加わる負荷（ｌｏａｄ）の偏差による暗線（ｄｉｍ  ｌｉｎｅ）の発生を防止することができる立体映像表示装置を提供することである。
【００１０】
本発明が解決しようとする課題は先に言及した課題に限定されない。ここで言及しなかった課題は下記の記載から通常の技術者に明確に理解可能であろう。
【課題を解決するための手段】
【００１１】
前記解決しようとする課題を達成するための本発明の技術的思想による立体映像表示装置は表示パネルを駆動するディスプレイ駆動部を含む。表示パネル上にはバリアパネルが位置する。バリアパネルはチャネル電極及びリンク配線を含む。チャネル電極はアクティブ領域を横切る。リンク配線はアクティブ領域の外側に位置する。リンク配線はバリア駆動部と連結される。バリア駆動部はリンク配線を介してチャネル電極を制御する。各チャネル電極が交差するリンク配線の数は同一である。
【００１２】
リンク配線はチャネル電極と個別に連結されることができる。
【００１３】
リンク配線は第１リンク配線及び第２リンク配線を含むことができる。第１リンク配線はチャネル電極の一方の端部と連結されることができる。第２リンク配線はチャネル電極の他方の端部と連結されることができる。チャネル電極が横切る第１リンク配線の数は該当チャネル電極と交差する第２リンク配線の数に反比例することができる。
【００１４】
第２リンク配線はアクティブ領域の側面に沿ってチャネル電極に平行に並んで位置する領域を含むことができる。
【００１５】
バリアパネルは、チャネル電極の間に位置するトリガー電極をさらに含むことができる。各トリガー電極が交差するリンク配線の数は各チャネル電極が交差するリンク配線の数と違ってもよい。
【００１６】
各トリガー電極が交差するリンク配線の数は各チャネル電極が交差するリンク配線の数より多くてもよい。
【００１７】
隣接した二つのチャネル電極の間には第１トリガー電極及び第２トリガー電極が並んで位置することができる。第２トリガー電極が交差するリンク配線の数は第１トリガー電極が交差するリンク配線の数と違ってもよい。
【００１８】
視聴距離感知部によって視聴者の位置を感知することができる。バリア駆動部は、視聴距離感知部の信号によって、リンク配線を介してチャネル電極に印加される信号を調節することができる。
【００１９】
表示パネルは、順に積層された下部表示基板、下部発光電極、発光層、上部発光電極及び上部表示基板を含むことができる。
【発明の効果】
【００２０】
本発明の技術的思想による立体映像表示装置は、各チャネル電極が同数のリンク配線と交差して、各チャネル電極にかかる負荷（ｌｏａｄ）の偏差を防止することができる。また、本発明の技術的思想による立体映像表示装置は、チャネル電極の他方の端部に連結されるリンク配線のみがアクティブ領域に沿って伸びることができる。これにより、本発明の技術的思想による立体映像表示装置はバリアパネルの周辺領域が最小化し、チャネル電極にかかる負荷（ｌｏａｄ）の偏差による暗線を防止することができる。よって、本発明の技術的思想による立体映像表示装置は製造効率及び立体映像の品質を向上させることができる。
【図面の簡単な説明】
【００２１】
【図１】本発明の実施例による立体映像表示装置を概略的に示した図である。
【図２ａ】本発明の実施例による立体映像表示装置の表示パネル及びバリアパネルを示した図である。
【図２ｂ】図２ａのＰ領域を拡大した図である。
【図３ａ】本発明の実施例による立体映像表示装置のバリアパネル上に位置する配線を概略的に示した図である。
【図３ｂ】図３ａのＲ領域を拡大した図である。
【図３ｃ】図３ａのＩ−Ｉ’線及び図３ｂのＩＩ−ＩＩ’線に沿って切断した断面を示した図である。
【図４】本発明の他の実施例による立体映像表示装置を示した図である。
【図５】本発明の他の実施例による立体映像表示装置を示した図である。
【発明を実施するための形態】
【００２２】
本発明の目的と技術的構成及びこれによる作用効果についての詳細な事項は本発明の実施例を示している図面を参照する以下の詳細な説明によってより明らかに理解可能であろう。ここで、本発明の実施例は当業者に本発明の技術的思想が充分に伝達することができるようにするために提供するものなので、本発明は以下で説明する実施例に限定されないように他の形態に具体化することができる。
【００２３】
また、明細書全般にわたって同じ参照番号で表示した部分は同じ構成要素を意味し、図面において層又は領域の長さと厚さは便宜のために誇張して表現されることがある。また、第１構成要素が第２構成要素“上”にあると記載される場合、前記第１構成要素が前記第２構成要素と直接接触する上側に位置するものだけではなく、前記第１構成要素と前記第２構成要素の間に第３構成要素が位置する場合も含む。
【００２４】
ここで、前記第１、第２などの用語は多様な構成要素を説明するためのもので、一構成要素を他の構成要素と区別する目的で使う。ただ、本発明の技術的思想を逸脱しない範囲で第１構成要素と第２構成要素は当業者の便宜によって任意に名付けられることができる。
【００２５】
本発明の明細書で使用する用語は単に特定の実施例を説明するために使われるもので、本発明を限定しようとする意図ではない。例えば、単数で表現された構成要素は文脈上明白に単数のみを意味しなければ複数の構成要素を含む。また、本発明の明細書において、“含む”又は“有する”などの用語は明細書上に記載した特徴、数字、段階、動作、構成要素、部分品又はこれらの組合せが存在することを指定しようとするものであり、一つ又はそれ以上の他の特徴、数字、段階、動作、構成要素、部分品又はこれらの組合せなどの存在又は付加の可能性を予め排除しないことを理解しなければならない。
【００２６】
加えて、他に定義しない限り、技術的又は科学的な用語を含めてここで使うすべての用語は本発明が属する技術分野で通常の知識を有する者によって一般的に理解されるものと同一の意味がある。一般的に使われる予め定義されているような用語は関連技術の文脈上で有する意味と一致する意味があるものと解釈しなければならなく、本発明の明細書で明らかに定義しない限り、理想的に又は過度に形式的な意味と解釈されない。
【００２７】
［実施例］
【００２８】
図１は本発明の実施例による立体映像表示装置を概略的に示した図である。図２ａは本発明の実施例による立体映像表示装置の表示パネル及びバリアパネルを示した図である。図２ｂは図２ａのＰ領域を拡大した図である。
【００２９】
図１、図２ａ及び図２ｂを参照すると、本発明の実施例による立体映像表示装置は、表示パネル１００、バリアパネル２００、ディスプレイ駆動部３００、タイミング制御部４００、視聴位置感知部５００及びバリア駆動部６００を含むことができる。
【００３０】
前記表示パネル１００は視聴者に提供する映像を具現することができる。例えば、前記表示パネル１００は、順に積層された下部表示基板１１０、発光素子１４０及び上部表示基板１８０を含むことができる。前記発光素子１４０は、映像を具現するために、特定の色を示す光を生成することができる。例えば、前記発光素子１４０は、順に積層された下部発光電極１４１、発光層１４２及び上部発光電極１４３を含むことができる。前記発光層１４２は有機発光物質又は無機発光物質を含むことができる。例えば、本発明の実施例による立体映像表示装置の表示パネル１００は有機発光素子を含むＯＬＥＤパネルであってもよい。
【００３１】
前記表示パネル１００は、前記下部表示基板１１０と前記発光素子１４０の間に位置する薄膜トランジスタ１２０、前記薄膜トランジスタ１２０を覆うオーバーコート層１３０及び前記下部発光電極１４１の縁端を覆うバンク絶縁膜１５０をさらに含むことができる。前記オーバーコート層１３０は前記薄膜トランジスタ１２０による段差を除去することができる。前記発光素子１４０は前記オーバーコート層１３０上に位置することができる。例えば、前記オーバーコート層１３０は前記薄膜トランジスタ１２０のドレイン電極を露出するコンタクトホールを含むことができる。
【００３２】
前記表示パネル１００は、前記発光素子１４０と前記上部表示基板１８０の間に位置する上部保護膜１６０及び接着層１７０をさらに含むことができる。前記上部保護膜１６０は外部衝撃及び水分から前記発光素子１４０を保護することができる。前記接着層１７０は前記上部保護膜１６０と前記上部表示基板１８０の間に位置することができる。前記上部表示基板１８０は前記接着層１７０によって前記上部保護膜１６０が形成された前記下部表示基板１１０と結合されることができる。前記接着層１７０は多重層構造であってもよい。例えば、前記接着層１７０は、下部接着層１７１及び上部接着層１７２を含むことができる。前記上部接着層１７２は前記下部接着層１７１及び前記上部表示基板１８０の間に位置することができる。前記上部接着層１７２は吸湿物質１７０ｐを含むことができる。前記下部接着層１７１は前記吸湿物質１７０ｐの膨張によって前記発光素子１４０に加わる応力（ｓｔｒｅｓｓ）を緩和することができる。
【００３３】
前記バリアパネル２００は前記表示パネル１００上に位置することができる。前記バリアパネル２００は前記表示パネル１００によって具現された映像を分離して視聴者の左眼及び右眼に提供することができる。例えば、視聴者は前記バリアパネル２００によって前記表示パネル１００が具現する映像を立体的に認識することができる。
【００３４】
図３ａは本発明の実施例による立体映像表示装置のバリアパネル２００上に位置する配線を概略的に示した図である。図３ｂは図３ａのＲ領域を拡大した図である。図３ｃは図３ａのＩ−Ｉ’線及び図３ｂのＩＩ−ＩＩ’線に沿って切断した断面を示した図である。
【００３５】
図１、図２ａ及び図３ａ〜図３ｃを参照すると、本発明の実施例による立体映像表示装置のバリアパネル２００は、下部バリア基板２１０、上部バリア基板２２０、液晶層２３０、チャネル電極ＣＨ１〜ＣＨｎ、バリア絶縁膜２４０、共通電極２５０及びリンク配線ＬＢ１〜ＬＢｎ、ＵＢ１〜ＵＢｎ、ＬＴ１、ＬＴ２、ＵＴ１、ＵＴ２を含むことができる。
【００３６】
前記下部バリア基板２１０及び前記上部バリア基板２２０は絶縁性物質を含むことができる。前記下部バリア基板２１０及び前記上部バリア基板２２０は透明な物質を含むことができる。例えば、前記下部バリア基板２１０及び前記上部バリア基板２２０はガラスを含むことができる。
【００３７】
前記液晶層２３０は前記下部バリア基板２１０と前記上部バリア基板２２０の間に位置することができる。前記液晶層２３０は外部から加わる電界によって回転することができる。例えば、前記液晶層２３０はＴＮ液晶又はＥＣＢ(electrically controlled birefringence)液晶を含むことができる。
【００３８】
前記チャネル電極ＣＨ１〜ＣＨｎは前記下部バリア基板２１０と前記液晶層２３０の間に位置することができる。前記チャネル電極ＣＨ１〜ＣＨｎは一定間隔で配置されることができる。前記チャネル電極ＣＨ１〜ＣＨｎの間は前記バリア絶縁膜２４０によって絶縁されることができる。例えば、前記チャネル電極ＣＨ１〜ＣＨｎは前記バリア絶縁膜２４０によって分離される複層構造であってもよい。前記バリア絶縁膜２４０は絶縁性物質を含むことができる。例えば、前記バリア絶縁膜２４０はシリコン酸化物又はシリコン窒化物を含むことができる。
【００３９】
前記バリアパネル２００は選択的に光を透過又は遮断することができる。例えば、前記チャネル電極ＣＨ１〜ＣＨｎは透過領域及び遮光領域が形成されるアクティブ領域ＡＡを横切ることができる。前記チャネル電極ＣＨ１〜ＣＨｎは導電性物質を含むことができる。前記チャネル電極ＣＨ１〜ＣＨｎは透明な物質を含むことができる。例えば、前記チャネル電極ＣＨ１〜ＣＨｎはＩＴＯ又はＩＺＯを含むことができる。
【００４０】
前記共通電極２５０は前記液晶層２３０と前記上部バリア基板２２０の間に位置することができる。例えば、前記共通電極２５０は前記上部バリア基板２２０上に形成されることができる。前記共通電極２５０は前記チャネル電極ＣＨ１〜ＣＨｎと垂直電界を形成することができる。前記液晶層２３０内に位置する液晶は前記チャネル電極ＣＨ１〜ＣＨｎと前記共通電極２５０の間に形成された垂直電界によって回転することができる。前記透過領域及び前記遮光領域は該当チャネル電極ＣＨ１〜ＣＨｎに印加された信号による前記液晶の回転によって形成されることができる。
【００４１】
前記共通電極２５０は導電性物質を含むことができる。前記共通電極２５０は透明な物質を含むことができる。例えば、前記共通電極２５０はＩＴＯ又はＩＺＯを含むことができる。
【００４２】
前記リンク配線ＬＢ１〜ＬＢｎ、ＵＢ１〜ＵＢｎ、ＬＴ１、ＬＴ２、ＵＴ１、ＵＴ２は前記アクティブ領域ＡＡの外側に位置する周辺領域ＰＡ上に位置することができる。前記リンク配線ＬＢ１〜ＬＢｎ、ＵＢ１〜ＵＢｎ、ＬＴ１、ＬＴ２、ＵＴ１、ＵＴ２は前記チャネル電極ＣＨ１〜ＣＨｎと連結されることができる。各チャネル電極ＣＨ１〜ＣＨｎは前記リンク配線ＬＢ１〜ＬＢｎ、ＵＢ１〜ＵＢｎ、ＬＴ１、ＬＴ２、ＵＴ１、ＵＴ２の一つを介して前記バリア駆動部６００と連結されることができる。例えば、前記リンク配線ＬＢ１〜ＬＢｎ、ＵＢ１〜ＵＢｎ、ＬＴ１、ＬＴ２、ＵＴ１、ＵＴ２は前記チャネル電極ＣＨ１〜ＣＨｎと個別に連結されることができる。
【００４３】
前記リンク配線ＬＢ１〜ＬＢｎ、ＵＢ１〜ＵＢｎ、ＬＴ１、ＬＴ２、ＵＴ１、ＵＴ２は第１リンク配線ＬＢ１〜ＬＢｎ及び第２リンク配線ＵＢ１〜ＵＢｎを含むことができる。前記第１リンク配線ＬＢ１〜ＬＢｎは前記チャネル電極ＣＨ１〜ＣＨｎの一側端部と連結されることができる。前記第２リンク配線ＵＢ１〜ＵＢｎは前記チャネル電極ＣＨ１〜ＣＨｎの他側端部と連結されることができる。前記第２リンク配線ＵＢ１〜ＵＢｎは前記アクティブ領域ＡＡに沿って伸びることができる。例えば、前記第２リンク配線ＵＢ１〜ＵＢｎは前記アクティブ領域ＡＡの側面に沿って前記チャネル電極ＣＨ１〜ＣＨｎに平行に並んで位置する領域を含むことができる。各チャネル電極ＣＨ１〜ＣＨｎの一側端部と連結される第１リンク配線ＬＢ１〜ＬＢｎの長さは該当チャネル電極ＣＨ１〜ＣＨｎの他側端部と連結される第２リンク配線ＵＢ１〜ＵＢｎの長さより短くてもよい。これにより、本発明の実施例による立体映像表示装置は、前記リンク配線ＬＢ１〜ＬＢｎ、ＵＢ１〜ＵＢｎ、ＬＴ１、ＬＴ２、ＵＴ１、ＵＴ２が位置する周辺領域ＰＡの面積が最小化することができる。よって、本発明の実施例による立体映像表示装置は前記チャネル電極ＣＨ１〜ＣＨｎによる透過領域及び遮光領域のシフトが効率的になされることができる。
【００４４】
前記リンク配線ＬＢ１〜ＬＢｎ、ＵＢ１〜ＵＢｎ、ＬＴ１、ＬＴ２、ＵＴ１、ＵＴ２は前記チャネル電極ＣＨ１〜ＣＨｎと交差することができる。各チャネル電極ＣＨ１〜ＣＨｎが横切る前記リンク配線ＬＢ１〜ＬＢｎ、ＵＢ１〜ＵＢｎ、ＬＴ１、ＬＴ２、ＵＴ１、ＵＴ２の数は同一 または一定であってもよい。例えば、第１チャネル電極ＣＨ１が交差する前記第１リンク配線ＬＢ１〜ＬＢｎ及び前記第２リンク配線ＵＢ１〜ＵＢｎの数は前記第１チャネル電極ＣＨ１に隣接して位置する第２チャネル電極ＣＨ２が交差する前記第１リンク配線ＬＢ１〜ＬＢｎ及び前記第２リンク配線ＵＢ１〜ＵＢｎの数と同一であっても良い。これにより、本発明の実施例による立体映像表示装置は、前記チャネル電極ＣＨ１〜ＣＨｎにかかる負荷（ｌｏａｄ）の偏差を防止することができる。よって、本発明の実施例による立体映像表示装置は負荷（ｌｏａｄ）の偏差による暗線（ｄｉｍ  ｌｉｎｅ）の発生を防止することができる。
【００４５】
前記第１チャネル電極ＣＨ１が交差する前記第１リンク配線ＬＢ１〜ＬＢｎの数は前記第２チャネル電極ＣＨ２が交差する前記第１リンク配線ＬＢ１〜ＬＢｎと違ってもよい。前記第１チャネル電極ＣＨ１が交差する前記第２リンク配線ＵＢ１〜ＵＢｎの数は前記第２チャネル電極ＣＨ２が交差する前記第２リンク配線ＵＢ１〜ＵＢｎの数と違ってもよい。例えば、前記チャネル電極ＣＨ１〜ＣＨｎが横切る前記第１リンク配線ＬＢ１〜ＬＢｎの数は該当チャネル電極ＣＨ１〜ＣＨｎと交差する前記第２リンク配線ＵＢ１〜ＵＢｎの数に反比例することができる。
【００４６】
前記リンク配線ＬＢ１〜ＬＢｎ、ＵＢ１〜ＵＢｎ、ＬＴ１、ＬＴ２、ＵＴ１、ＵＴ２は導電性物質を含むことができる。前記リンク配線ＬＢ１〜ＬＢｎ、ＵＢ１〜ＵＢｎ、ＬＴ１、ＬＴ２、ＵＴ１、ＵＴ２は相対的に高い伝導率を有する物質を含むことができる。例えば、前記リンク配線ＬＢ１〜ＬＢｎ、ＵＢ１〜ＵＢｎ、ＬＴ１、ＬＴ２、ＵＴ１、ＵＴ２はアルミニウム（Ａｌ）のような金属を含むことができる。
【００４７】
本発明の実施例による立体映像表示装置のバリアパネル２００は透過領域及び遮光領域のシフトによる輝線及び暗線の発生を防止するためのトリガー電極ＴＣ１、ＴＣ２をさらに含むことができる。前記トリガー電極ＴＣ１、ＴＣ２は前記チャネル電極ＣＨ１〜ＣＨｎの間に位置することができる。前記トリガー電極ＴＣ１、ＴＣ２は隣接するチャネル電極ＣＨ１〜ＣＨｎの間に並んで 位置することができる。例えば、前記トリガー電極ＴＣ１、ＴＣ２は前記アクティブ領域ＡＡを横切ることができる。
【００４８】
前記リンク配線ＬＢ１〜ＬＢｎ、ＵＢ１〜ＵＢｎ、ＬＴ１、ＬＴ２、ＵＴ１、ＵＴ２は前記トリガー電極ＴＣ１、ＴＣ２と連結されるトリガー配線ＬＴ１、ＬＴ２、ＵＴ１、ＵＴ２をさらに含むことができる。前記トリガー配線ＬＴ１、ＬＴ２、ＵＴ１、ＵＴ２は前記トリガー電極ＴＣ１、ＴＣ２の一側端部と連結される第１トリガー配線ＬＴ１、ＬＴ２及び前記トリガー電極ＴＣ１、ＴＣ２の他側端部と連結される第２トリガー配線ＵＴ１、ＵＴ２を含むことができる。
【００４９】
各トリガー電極ＴＣ１、ＴＣ２と交差する前記リンク配線ＬＢ１〜ＬＢｎ、ＵＢ１〜ＵＢｎ、ＬＴ１、ＬＴ２、ＵＴ１、ＵＴ２の数は各チャネル電極ＣＨ１〜ＣＨｎと交差する前記リンク配線ＬＢ１〜ＬＢｎ、ＵＢ１〜ＵＢｎ、ＬＴ１、ＬＴ２、ＵＴ１、ＵＴ２の数と違ってもよい。例えば、前記トリガー配線ＬＴ１、ＬＴ２、ＵＴ１、ＵＴ２は一定範囲のアクティブ領域に透過領域及び／又は遮光領域を形成する前記チャネル電極ＣＨ１〜ＣＨｎと連結されるリンク配線ＬＢ１〜ＬＢｎ、ＵＢ１〜ＵＢｎの外側に位置することができる。各トリガー電極ＴＣ１、ＴＣ２と交差する前記リンク配線ＬＢ１〜ＬＢｎ、ＵＢ１〜ＵＢｎ、ＬＴ１、ＬＴ２、ＵＴ１、ＵＴ２の数は各チャネル電極ＣＨ１〜ＣＨｎと交差する前記リンク配線ＬＢ１〜ＬＢｎ、ＵＢ１〜ＵＢｎ、ＬＴ１、ＬＴ２、ＵＴ１、ＵＴ２の数より多くてもよい。これにより、本発明の実施例による立体映像表示装置は、前記トリガー配線ＬＴ１、ＬＴ２、ＵＴ１、ＵＴ２によって前記チャネル電極ＣＨ１〜ＣＨｎに過度な負荷（ｌｏａｄ）が印加されることを防止することができる。各トリガー電極ＴＣ１、ＴＣ２と交差する前記リンク配線ＬＢ１〜ＬＢｎ、ＵＢ１〜ＵＢｎ、ＬＴ１、ＬＴ２、ＵＴ１、ＵＴ２の数は隣接したトリガー電極ＴＣ１、ＴＣ２と交差する前記リンク配線ＬＢ１〜ＬＢｎ、ＵＢ１〜ＵＢｎ、ＬＴ１、ＬＴ２、ＵＴ１、ＵＴ２の数と違ってもよい。例えば、第１トリガー電極ＴＣ１と交差する前記リンク配線ＬＢ１〜ＬＢｎ、ＵＢ１〜ＵＢｎ、ＬＴ１、ＬＴ２、ＵＴ１、ＵＴ２の数は前記第１トリガー電極ＴＣ１に隣接して位置する第２トリガー電極ＴＣ２が横切る前記リンク配線ＬＢ１〜ＬＢｎ、ＵＢ１〜ＵＢｎ、ＬＴ１、ＬＴ２、ＵＴ１、ＵＴ２の数と違ってもよい。
【００５０】
本発明の実施例による立体映像表示装置のバリアパネル２００は周辺領域ＰＡに位置する共通電圧供給ラインＶｃｏｍ及び接地ラインＧＮＤをさらに含むことができる。前記共通電圧供給ラインＶｃｏｍ及び前記接地ラインＧＮＤは前記リンク配線ＬＢ１〜ＬＢｎ、ＵＢ１〜ＵＢｎ、ＬＴ１、ＬＴ２、ＵＴ１、ＵＴ２の外側に位置することができる。例えば、前記共通電圧供給ラインＶｃｏｍは前記接地ラインＧＮＤと前記リンク配線ＬＢ１〜ＬＢｎ、ＵＢ１〜ＵＢｎ、ＬＴ１、ＬＴ２、ＵＴ１、ＵＴ２の間に位置することができる。
【００５１】
前記共通電圧供給ラインＶｃｏｍ及び前記接地ラインＧＮＤは前記チャネル電極ＣＨ１〜ＣＨｎと違う物質を含むことができる。例えば、前記共通電圧供給ラインＶｃｏｍ及び前記接地ラインＧＮＤは金属を含むことができる。前記共通電圧供給ラインＶｃｏｍ及び前記接地ラインＧＮＤは前記リンク配線ＬＢ１〜ＬＢｎ、ＵＢ１〜ＵＢｎ、ＬＴ１、ＬＴ２、ＵＴ１、ＵＴ２と同一の物質を含むことができる。
【００５２】
本発明の実施例による立体映像表示装置のバリアパネル２００は前記リンク配線ＬＢ１〜ＬＢｎ、ＵＢ１〜ＵＢｎ、ＬＴ１、ＬＴ２、ＵＴ１、ＵＴ２、前記共通電圧供給ラインＶｃｏｍ及び前記接地ラインＧＮＤを覆い、前記下部バリア基板２１０と前記チャネル電極ＣＨ１〜ＣＨｎの間に伸びるバリアバッファー膜２１５をさらに含むことができる。前記バリアバッファー膜２１５は絶縁性物質を含むことができる。例えば、前記バリアバッファー膜２１５はシリコン酸化物を含むことができる。
【００５３】
前記共通電圧供給ラインＶｃｏｍは前記共通電極２５０と連結されることができる。例えば、本発明の実施例による立体映像表示装置のバリアパネル２００は、前記液晶層２３０を密封するための密封材２６０が導電性物質を含むことができる。前記密封材２６０は前記共通電極２５０及び前記共通電圧供給ラインＶｃｏｍと直接接触することができる。前記共通電極２５０は前記密封材２６０によって前記共通電圧供給ラインＶｃｏｍと連結されることができる。
【００５４】
前記ディスプレイ駆動部３００は前記表示パネル１００を駆動することができる。前記表示パネル１００は映像を具現するための信号を前記ディスプレイ駆動部３００から受信することができる。例えば、前記ディスプレイ駆動部３００は、データ駆動部３１０及びスキャン駆動部３２０を含むことができる。
【００５５】
前記データ駆動部３１０は前記表示パネル１００にデータ信号を供給することができる。前記スキャン駆動部３２０は前記表示パネル１００にスキャン信号を順次印加することができる。前記データ駆動部３１０によって供給されるデータ信号は前記スキャン駆動部３２０によって印加されるスキャン信号と同期することができる。
【００５６】
前記タイミング制御部４００は前記ディスプレイ駆動部３００の動作に必要な信号を提供することができる。例えば、前記タイミング制御部４００は前記データ駆動部３１０にデジタルビデオデータ及びソースタイミング制御信号を供給することができる。前記スキャン駆動部３２０は前記タイミング制御部４００からクロック信号、リセットクロック信号及びスタート信号を受信することができる。
【００５７】
前記視聴位置感知部５００は視聴者の位置を感知することができる。例えば、前記視聴位置感知部５００は前記表示パネル１００及び前記バリアパネル２００によって具現された映像を視聴する視聴者の位置情報を感知することができる。前記視聴位置感知部５００はカメラを含むことができる。
【００５８】
前記バリア駆動部６００は前記バリアパネル２００を駆動することができる。例えば、前記バリア駆動部６００は前記リンク配線ＬＢ１〜ＬＢｎ、ＵＢ１〜ＵＢｎ、ＬＴ１、ＬＴ２、ＵＴ１、ＵＴ２を介して前記チャネル電極ＣＨ１〜ＣＨｎに個別に電圧を印加することができる。前記バリア駆動部６００は視聴者の位置によって前記バリアパネル２００の前記チャネル電極ＣＨ１〜ＣＨｎを制御することができる。例えば、前記バリア駆動部６００は、前記視聴位置感知部５００の信号によって、前記チャネル電極ＣＨ１〜ＣＨｎと個別に連結された前記リンク配線ＬＢ１〜ＬＢｎ、ＵＢ１〜ＵＢｎ、ＬＴ１、ＬＴ２、ＵＴ１、ＵＴ２に印加される信号を調節することができる。
【００５９】
結果的に、本発明の実施例による立体映像表示装置は、視聴者の位置によって立体映像の適正視聴範囲を自然に移動するために、前記チャネル電極ＣＨ１〜ＣＨｎの増加にもかかわらず前記バリアパネル２００の周辺領域ＰＡの面積が大きく増加しないことができる。また、本発明の実施例による立体映像表示装置は、前記チャネル電極ＣＨ１〜ＣＨｎにかかる負荷（ｌｏａｄ）の偏差を防止することができる。これにより、本発明の実施例による立体映像表示装置は、負荷（ｌｏａｄ）の偏差による暗線を防止することができる。よって、本発明の実施例による立体映像表示装置は、製造効率及び立体映像の品質を向上させることができる。
【００６０】
本発明の実施例による立体映像表示装置は外部光の反射を防止するための構成を含むことができる。例えば、図２ａに示したように、本発明の実施例による立体映像表示装置は、表示パネル１００と前面線形偏光板７１０の間に位置する１／４波長板８００をさらに含むことができる。前記１／４波長板８００は前記表示パネル１００及び前記前面線形偏光板７１０と直接接触することができる。前記表示パネル１００の外側表面上には後面線形偏光板７２０がさらに位置することができる。
【００６１】
本発明の実施例による立体映像表示装置は発光素子１４０を含む表示パネル１００上にバリアパネル２００が位置するものとして説明した。しかし、図４に示したように、本発明の他の実施例による立体映像表示装置はバリアパネル２００が表示パネル１００と発光素子９００の間に位置することができる。例えば、本発明の他の実施例による立体映像表示装置の表示パネル１００は液晶パネルであってもよい。前記発光素子９００はバックライトユニットとして機能することができる。前面線形偏光板７１０及び後面線形偏光板７２０は前記バリアパネル２００と直接接触することができる。前記表示パネル１００の外側表面上にはイメージ線形偏光板７３０がさらに位置することができる。これにより、本発明の他の実施例による立体映像表示装置は、表示パネル１００とバリアパネル２００の相対位置に関係なく、視聴者の位置によって立体映像の視聴適正範囲が自然に移動することができる。
【００６２】
本発明の他の実施例による立体映像表示装置は発光素子９００と表示パネル１００の間にバリアパネル２００が位置するものとして説明した。しかし、図５に示したように、本発明のさらに他の実施例による立体映像表示装置は、表示パネル１００が発光素子９００とバリアパネル２００の間に位置することができる。発光素子９００と表示パネル１００の間にはイメージ線形偏光板７４０が位置することができる。イメージ線形偏光板７４０と前面線形偏光板７１０は前記表示パネル１００と直接接触することができる。前記表示パネル１００の外側表面上には 後面線形偏光板７２０がさらに位置することができる。これにより、本発明の他の実施例による立体映像表示装置は、多様な位置の表示パネル１００とバリアパネル２００で移動する視聴者に立体映像を円滑に提供することができる。
【符号の説明】
【００６３】
１００    表示パネル
２００    バリアパネル
ＣＨ１〜ＣＨｎ    チャネル電極
ＬＢ１〜ＬＢｎ    下端リンク配線
ＵＢ１〜ＵＢｎ    上端リンク配線
Ｖｃｏｍ    共通電圧供給ライン
ＧＮＤ    接地ライン
【図１】
2019070792.tif 000003
【図２ａ】
2019070792.tif 000004
【図２ｂ】
2019070792.tif 000005
【図３ａ】
2019070792.tif 000006
【図３ｂ】
2019070792.tif 000007
【図３ｃ】
2019070792.tif 000008
【図４】
2019070792.tif 000009
【図５】
2019070792.tif 000010